(57)【要約】【課題】立体視用の複数の画像を高い解像度で表示する。【解決手段】照明装置１０は、面状に配列する複数の導光体１１Rと複数の導光体１１Lとを含む。光学体３０は、各導光体１１Rからの出射光を観察者の右目の方向ＤRに出射するとともに各導光体１１Lからの出射光を左目の方向ＤLに出射する。液晶装置２０は、光学体３０からの出射光に対する透過率を画素ごとに制御することで画像を表示する。照明駆動回路５２は、期間ＦRにて各導光体１１Rから光を出射させるとともに期間ＦLにて各導光体１１Lから光を出射させる。液晶駆動回路５４は、右目用画像を期間ＦRにて液晶装置２０に表示させるとともに左目用画像を期間ＦLにて液晶装置２０に表示させる。【選択図】図１
2008268398.tif 000002
【特許請求の範囲】
【請求項１】
面状に配列する複数の第１部分と複数の第２部分とから個別に光が出射する照明装置と、
前記各第１部分からの出射光と前記各第２部分からの出射光とを別方向に出射する光学体と、
前記光学体からの出射光に対する透過率を画素ごとに制御することで画像を表示する表示体と
を具備する表示装置。
【請求項２】
第１期間にて前記各第１部分から光を出射させるとともに当該第１期間とは相違する第２期間にて前記各第２部分から光を出射させる照明駆動手段と、
相互に視差を有する第１画像と第２画像とを前記第１期間および前記第２期間にて順次に前記表示体に表示させる表示駆動手段と
を具備する請求項１の表示装置。
【請求項３】
前記照明駆動手段は、前記第１期間を区分した複数のサブフィールドにて複数色の単色光を前記第１部分から順次に出射させるとともに、前記第２期間を区分した複数のサブフィールドにて複数色の単色光を前記第２部分から順次に出射させ、
前記表示駆動手段は、前記第１画像を構成する各色成分の単色画像を前記第１期間の複数のサブフィールドにて前記表示体に順次に表示させるとともに、前記第２画像を構成する各色成分の単色画像を前記第２期間の複数のサブフィールドにて前記表示手段に順次に表示させる
請求項１または請求項２の表示装置。
【請求項４】
前記照明装置は、
前記各第１部分を含むとともに側面からの入射光を前記光学体側に導く複数の第１光学部材と、
前記各第２部分を含むとともに側面からの入射光を前記光学体側に導く複数の第２光学部材と、
前記各第１光学部材の側面を照明する複数の第１光源と、
前記各第２光学部材の側面を照明する複数の第２光源と
を含む請求項１から請求項３の何れかの表示装置。
【請求項５】
前記照明装置は、
前記複数の第１部分を連結した形状の部材であって入射光を前記光学体側に導く第１光学部材と、
前記複数の第２部分を連結した形状の部材であって入射光を前記光学体側に導く第２光学部材と、
前記第１光学部材を照明する第１光源と、
前記第２光学部材を照明する第２光源と
を含む請求項１から請求項３の何れかの表示装置。
【請求項６】
前記第１光学部材における前記光学体とは反対側の表面には、前記第１光源から離れるほど密に分布するように複数の反射体が形成される
請求項４または請求項５の表示装置。
【請求項７】
前記第１光学部材における前記光学体とは反対側の表面には、前記第１光源から離れるほど大きいサイズとなるように複数の反射体が形成される
請求項４または請求項５の表示装置。
【請求項８】
前記照明装置は、
前記各第１部分を含むとともに背面側からの入射光を散乱させて前記光学体側に出射する複数の第１光学部材と、
前記各第２部分を含むとともに背面側からの入射光を散乱させて前記光学体側に出射する複数の第２光学部材と、
前記各第１光学部材の背面側に設置された複数の第１光源と、
前記各第２光学部材の背面側に設置された複数の第２光源と
を含む請求項１から請求項３の何れかの表示装置。
【請求項９】
前記照明装置は、
前記各第１部分を有する自発光型の第１発光部と、
前記各第２部分を有する自発光型の第２発光部と
を含む請求項１から請求項３の何れかの表示装置。
【請求項１０】
請求項１から請求項９の何れかの表示装置を具備する電子機器。
【発明の詳細な説明】
【技術分野】
【０００１】
本発明は、画像の立体感を観察者に知覚させる技術に関する。
【背景技術】
【０００２】
相互に視差を有する２種類の画像の一方（以下「左目用画像」という）を左目に視認させるとともに他方（以下「右目用画像」という）を右目に視認させると、観察者に画像の立体感を知覚させることができる。左目用画像および右目用画像を観察者の左目と右目とに個別に知覚させるための様々な方法が従来から提案されている。例えば特許文献１には、表示装置の前面側にパララックスバリアを設置した構成が開示されている。
【特許文献１】特開２００３−２５９３９５号公報
【発明の開示】
【発明が解決しようとする課題】
【０００３】
しかし、パララックスバリアを利用した構成においては、表示装置の全部の画素が、左目用画像を表示する画素と右目用画像を表示する画素とに区分されるため、観察者の知覚する画像の実質的な解像度が低下するという問題がある。以上の事情に鑑みて、本発明は、立体視用の複数の画像（右目用画像および左目用画像）を高い解像度で表示するという課題の解決をひとつの目的としている。
【課題を解決するための手段】
【０００４】
以上の課題を解決するために、本発明に係る表示装置は、面状に配列する複数の第１部分と複数の第２部分とから個別に光が出射する照明装置と、各第１部分からの出射光と各第２部分からの出射光とを別方向に出射する光学体と、光学体からの出射光に対する透過率を画素ごとに制御することで画像を表示する表示体とを具備する。さらに具体的な態様に係る表示装置は、第１期間にて各第１部分から光を出射させるとともに当該第１期間とは相違する第２期間にて各第２部分から光を出射させる照明駆動手段と、相互に視差を有する第１画像（例えば右目用画像および左目用画像の一方）と第２画像（例えば右目用画像および左目用画像の他方）とを第１期間および第２期間にて順次に表示体に表示させる表示駆動手段とを具備する。
【０００５】
以上の態様によれば、第１画像と第２画像とが時分割で別方向に出力されるから、表示体の前面側にパララックスバリアを設置する構成と比較して、観察者が知覚する画像の解像度を高めることが可能である。なお、本発明に係る表示装置は、携帯電話機やパーソナルコンピュータなどの電子機器に好適に採用される。
【０００６】
本発明の好適な態様において、照明駆動手段は、第１期間を区分した複数のサブフィールドにて複数色の単色光を第１部分から順次に出射させるとともに、第２期間を区分した複数のサブフィールドにて複数色の単色光を第２部分から順次に出射させ、表示駆動手段は、第１画像を構成する各色成分の単色画像を第１期間の複数のサブフィールドにて表示体に順次に表示させるとともに、第２画像を構成する各色成分の単色画像を第２期間の複数のサブフィールドにて表示手段に順次に表示させる。すなわち、第１画像および第２画像の各々が面順次方式（フィールドシーケンシャル方式）でカラー表示される。以上の態様によれば、表示体の各画素を各色成分について分割する必要がないから、高い解像度で画像を表示するという所期の効果は格別に顕著となる。
【０００７】
本発明に係る表示装置の第１の態様において、照明装置は、各第１部分を含むとともに側面からの入射光を光学体側に導く複数の第１光学部材（例えば図２の導光体１１R）と、各第２部分を含むとともに側面からの入射光を光学体側に導く複数の第２光学部材（例えば図２の導光体１１L）と、各第１光学部材の側面を照明する複数の第１光源（例えば図２の光源１５R）と、各第２光学部材の側面を照明する複数の第２光源（例えば図２の光源１５L）とを含む。以上の態様によれば、各第１光学部材および各第２光学部材について個別に光源が設置されるから、照明光の光量を広範囲にわたって容易に均一化することが可能である。なお、本態様の具体例は第１実施形態（図２）として後述される。
【０００８】
本発明に係る表示装置の第２の態様において、照明装置は、複数の第１部分（例えば図５の部分１２５）を連結した形状の部材であって入射光を光学体側に導く第１光学部材（例えば図５の導光体１２R）と、複数の第２部分（例えば図５の部分１２６）を連結した形状の部材であって入射光を光学体側に導く第２光学部材（例えば図５の導光体１２L）と、第１光学部材を照明する第１光源と、第２光学部材を照明する第２光源とを含む。以上の態様によれば、各第１部分および各第２部分について個別に光源を設置する必要がないから、第１の態様と比較して照明装置の部品数が削減されるという利点がある。なお、本態様の具体例は第２実施形態（図５）として後述される。
【０００９】
第１および第２の態様に係る表示装置においては、第１光学部材における光学体とは反対側の表面に、第１光源から離れた位置ほど密に分布するように複数の反射体（例えば図２や図５の反射体１９）を形成した構成や、第１光源から離れた位置ほど大きいサイズとなるように複数の反射体を形成した構成が採用され得る。以上の態様によれば、第１光源から離れた位置においても照明光に充分な光量を確保できるという利点がある。
【００１０】
本発明に係る表示装置の第３の態様において、照明装置は、各第１部分を含むとともに背面側からの入射光を散乱させて光学体側に出射する複数の第１光学部材（例えば図６の拡散板１３R）と、各第２部分を含むとともに背面側からの入射光を散乱させて光学体側に出射する複数の第２光学部材（例えば図６の拡散板１３L）と、各第１光学部材の背面側に設置された複数の第１光源と、各第２光学部材の背面側に設置された複数の第２光源とを含む。本態様によれば、照明光の光量が広範囲にわたって容易に均一化されるという利点がある。なお、本態様の具体例は第３実施形態（図６）として後述される。
【００１１】
本発明に係る表示装置の第４の態様において、照明装置は、各第１部分を有する自発光型の第１発光部（例えば図７の発光部１４R）と、各第２部分を有する自発光型の第２発光部（例えば図７の発光部１４L）とを含む。本態様によれば、第１部分や第２部分から独立に光源を設置する必要がないから、第１ないし第３の態様と比較して照明装置が小型化されるという利点がある。なお、本態様の具体例は第４実施形態（図７）として後述される。
【発明を実施するための最良の形態】
【００１２】
＜Ａ：第１実施形態＞
図１は、本発明の第１実施形態に係る表示装置の構成を示すブロック図である。同図に示すように、表示装置１００は、照明装置１０と液晶装置２０と光学体３０と駆動装置５０とを具備する。照明装置１０は、液晶装置２０の背面側に設置されて液晶装置２０を照明する。光学体３０は照明装置１０と液晶装置２０との間隙に介挿される。
【００１３】
液晶装置２０は、相互に対向する第１基板２１と第２基板２２とを具備する。第１基板２１と第２基板２２との間隙には液晶（図示略）が封止される。ＯＣＢ（Optically Compensated Bend）モードなど高速に応答する液晶が好適に採用される。第２基板２２のうち液晶との対向面には、画像の各画素に対応する複数の画素電極２４が、相互に交差するＸ方向およびＹ方向にわたって行列状に配列する。第１基板２１と第２基板２２とで挟持された液晶は、各画素電極２４と第１基板２１の表面の対向電極（図示略）との電位差に応じて配向が変化する。したがって、照明装置１０からの出射光のうち観察側に透過する光量の割合（透過率）は画素電極２４ごとに制御される。液晶装置２０内に着色層（カラーフィルタ）は形成されない。
【００１４】
図２は、表示装置１００の具体的な構成を示す平面図および側面図である。同図に示すように、照明装置１０は、複数の導光体１１（複数の導光体１１Rおよび複数の導光体１１L）を具備する。各導光体１１は、長尺状（線状）に成形された光透過性の光学部材である。各導光体１１は、Ｙ方向を長手とする姿勢でＸ方向に並列する。図２に示すように、導光体１１Rと導光体１１Lとは交互に配列する。複数の導光体１１は、照明装置１０の発光面（Ｘ-Ｙ平面）に垂直な方向からみて液晶装置２０や光学体３０と重なり合う。Ｘ方向に相隣接する各導光体１１の間隙には遮光体１７が介挿される。例えば、導光体１１の側面に形成された遮光性（または反射性）の膜体や各導光体１１の間隙に充填された遮光性（または反射性）の樹脂が遮光体１７として好適である。
【００１５】
照明装置１０は、各導光体１１に対応する複数の光源１５（１５R，１５L）を具備する。各光源１５は、当該光源１５に対応する導光体１１の端面に対向するように配置されて当該端面を照明する。光源１５Rは導光体１１Rに対応し、光源１５Lは導光体１１Lに対応する。したがって、光源１５Rと光源１５LとはＸ方向に沿って交互に配列する。
【００１６】
各光源１５は、各々が別色に対応した単色光を出射する複数の発光体１６（１６r，１６g，１６b）で構成される。発光体１６rは、赤色に対応する波長の単色光（赤色光）を出射する。同様に、発光体１６gは緑色光を出射し、発光体１６bは青色光を出射する。発光ダイオード素子や有機ＥＬ素子が発光体１６として好適である。光源１５による照射光は、導光体１１の内部を透過したうえで光学体３０側に出射する。
【００１７】
図２の側面図に示すように、複数の導光体１１の背面側には反射板１８１が設置される。反射板１８１は、各導光体１１から背面側に出射した光を導光体１１側に反射する。また、複数の導光体１１の前面側には散乱板１８２が設置される。各導光体１１からの出射光は、散乱板１８２を通過することで適度に散乱したうえで光学体３０側に出射する。なお、反射板１８１や散乱板１８２は、複数の導光体１１にわたって連続してもよいし、各導光体１１ごとに独立に配置されてもよい。
【００１８】
各導光体１１の背面側の表面には、反射板１８１よりも反射率が高い複数の反射体１９が形成される。各反射体１９は、導光体１１から背面側に向かう光を前面側に反射する膜体である。ひとつの導光体１１に形成された複数の反射体１９は、当該導光体１１に対応する光源１５から離れた位置ほど密に分布し、かつ、光源１５から離れた位置ほど大径である。さらに、各導光体１１は、光源１５から離れた位置ほど薄い。以上の構成によれば、導光体１１のうち光源１５から離れた部位から出射する光量が充分に確保されるから、発光面の全体にわたって光量を均一化することができる。
【００１９】
図２に示すように、光学体３０は、Ｘ方向に配列する複数のレンチキュラレンズ３２を具備する。各レンチキュラレンズ３２はＹ方向に延在する。発光面に垂直な方向からみると、ひとつのレンチキュラレンズ３２は、照明装置１０においてＸ方向に相隣接する導光体１１Rと導光体１１Lとに重なり合う。すなわち、２個の導光体１１に対して１個のレンチキュラレンズ３２が形成される。図２に示すように、レンチキュラレンズ３２は、導光体１１Rからの出射光を方向ＤRに進行させるとともに導光体１１Lからの出射光を方向ＤLに進行させる。方向ＤRと方向ＤLとは別方向である。
【００２０】
以上に説明したように、導光体１１Rに入射した光源１５Rの照射光は、導光体１１Rから光学体３０に入射するとともにレンチキュラレンズ３２を透過することで方向ＤRに進行して観察者の右目に到達する。また、導光体１１Lによる照射光は、導光体１１Lを経由してレンチキュラレンズ３２を透過することで方向ＤLに進行して観察者の左目に到達する。
【００２１】
図１に示すように、駆動装置５０には外部装置（図示略）から入力画像信号ＳINが供給される。入力画像信号ＳINは、相互に視差を有する右目用画像および左目用画像の各々の画素の表示色を指定する信号である。入力画像信号ＳINは、画素の表示色を構成する３種類の原色成分（赤色，緑色および青色）の各々について個別に階調を指定する。すなわち、入力画像信号ＳINは、右目用画像について赤色成分の階調ＧR_rと緑色成分の階調ＧR_gと青色成分の階調ＧR_bとを画素ごとに指定するとともに、左目用画像について赤色成分の階調ＧL_rと緑色成分の階調ＧL_gと青色成分の階調ＧL_bとを画素ごとに指定する。
【００２２】
図１の駆動装置５０は、入力画像信号ＳINに基づいて照明装置１０および液晶装置２０を駆動する回路である。駆動装置５０は、照明装置１０を駆動する照明駆動回路５２と液晶装置２０を駆動する液晶駆動回路５４とを具備する。なお、駆動装置５０の実装の態様は任意である。例えば、照明駆動回路５２を照明装置１０に実装するとともに液晶駆動回路５４を液晶装置２０に実装した構成や、照明駆動回路５２と液晶駆動回路５４とを単一の集積回路に搭載した構成が採用される。
【００２３】
図３は、表示装置１００の動作を説明するためのタイミングチャートである。同図のフレームＦは、観察者が立体視するひとつの画像の表示に利用される期間である。図３に示すように、ひとつのフレームＦは、右目用画像を表示する期間ＦRと左目用画像を表示する期間ＦLとに区分される。期間ＦRと期間ＦLとは、各々が別個の原色成分に対応した３個のサブフィールドＳF（ＳF1〜ＳF3）で構成される。各サブフィールドＳFは書込期間ＰWと表示期間ＰDとを含む。期間ＦRのサブフィールドＳF1〜ＳF3にて右目用画像の３種類の原色成分の単色画像が順次に表示され、期間ＦLのサブフィールドＳF1〜ＳF3にて左目用画像の３種類の原色成分の単色画像が順次に表示されるように、駆動装置５０は照明装置１０および液晶装置２０を駆動する。
【００２４】
液晶駆動回路５４は、期間ＦRの各サブフィールドＳFの書込期間ＰWにおいて、各画素電極２４の電位を、右目用画像の各原色成分について入力画像信号ＳINが指定する階調に応じたデータ電位に設定する。すなわち、期間ＦRのサブフィールドＳF1では右目用画像の赤色成分の階調ＧR_rに応じたデータ電位を各画素電極２４に供給し、サブフィールドＳF2では緑色成分の階調ＧR_gに応じたデータ電位を各画素電極２４に供給し、サブフィールドＳF3では青色成分の階調ＧR_bに応じたデータ電位を各画素電極２４に供給する。同様に、期間ＦLの各サブフィールドＳFの書込期間ＰWでは、各画素電極２４の電位を、左目用画像の各原色成分について指定される階調（ＧL_r，ＧL_g，ＧL_b）に応じたデータ電位に設定する。書込期間ＰWにて画素電極２４に設定されたデータ電位に応じて直後の表示期間ＰDにおける液晶の透過率が決定される。
【００２５】
照明駆動回路５２は、複数の発光体１６（１６r，１６g，１６b）の各々の発光／消灯を光源１５Rと光源１５Lとで個別に制御する。すなわち、照明駆動回路５２は、期間ＦRのサブフィールドＳF1〜ＳF3の各々の表示期間ＰDにて各光源１５Rの複数の発光体１６（１６r，１６g，１６b）を順次に発光させる。さらに詳述すると、照明駆動回路５２は、図３に示すように、期間ＦRのサブフィールドＳF1では各光源１５Rの発光体１６rを発光させ、サブフィールドＳF2では各光源１５Rの発光体１６gを発光させ、サブフィールドＳF3では各光源１５Rの発光体１６bを発光させる。同様に、期間ＦLにおいては、各光源１５Lの複数の発光体１６（１６r，１６g，１６b）をサブフィールドＳF1〜ＳF3の表示期間ＰDにて順次に発光させる。期間ＦRにおいては各光源１５Lの総ての発光体１６が消灯し、期間ＦLにおいては各光源１５Rの総ての発光体１６が消灯する。
【００２６】
したがって、期間ＦRのサブフィールドＳF1〜ＳF3においては、右目用画像を構成する各原色成分の単色画像が各光源１５Rの発光によって順次に方向ＤRに出力され、期間ＦLのサブフィールドＳF1〜ＳF3においては、左目用画像を構成する各原色成分の単色画像が各光源１５Lの発光によって順次に方向ＤLに出力される（面順次方式）。観察者は、期間ＦR内の各サブフィールドＳFにて右目用画像の各単色画像を順次に右目で視認することでカラーの右目用画像を知覚し、期間ＦL内の各サブフィールドＳFにて左目用画像の各単色画像を順次に左目で視認することでカラーの左目用画像を知覚する。したがって、フレームＦ内においては、観察者は、立体感のあるカラーの画像を知覚する。
【００２７】
以上のように本形態においては、右目用画像および左目用画像の各々が液晶装置２０の全画素を使用して時分割に表示されるから、液晶装置２０の前面側にパララックスバリアを設置する構成と比較して、観察者が知覚する画像の解像度を高めることが可能である。しかも、面順次方式でカラー画像が表示されるから、各原色成分に対応する３個の画素（サブ画素）を同時に表示する必要がない。したがって、解像度の高い画像が表示されるという効果は格別に顕著である。また、光源１５Rと光源１５Lとが選択的に駆動されるから、以下に説明するように光源１５による照射光を高効率に利用できるという利点がある。
【００２８】
図４は、本形態との対比例の構成を示す断面図である。図４に示す対比例の照明装置１０は、発光面の全体にわたって連続する単一の導光体７２と、導光体７２を側方から照明する光源７４と、導光体７２と光学体３０との間隙に介在する液晶シャッタ７６とで構成される。液晶シャッタ７６は、Ｘ方向に交互に配列する領域Ａ1と領域Ａ2とに区分される。各領域Ａ1と各領域Ａ2とは透過率が個別に制御される。光学体３０の各レンチキュラレンズ３２は、領域Ａ1と領域Ａ2との各組に対向する。
【００２９】
図４の構成において、フレームＦの全体にわたって光源７４を継続的に発光させたうえで、期間ＦRでは領域Ａ1の透過率を増加させるとともに領域Ａ2の透過率を低下させ、期間ＦLでは領域Ａ1の透過率を低下させるとともに領域Ａ2の透過率を増加させる。以上の構成によっても、右目用画像を観察者の右目に視認させるとともに左目用画像を観察者の左目に視認させることが可能である。
【００３０】
しかし、対比例の構成においては、光源７４からの出射光が、期間ＦRにおいては領域Ａ2で遮光されるとともに期間ＦLにおいては領域Ａ1で遮光される。すなわち、実際に照明装置１０から出射する光量は光源１５による照射光の約半分である。以上のように光源１５による照射光の利用効率が低いから、表示画像の明度を充分に確保しようとすれば、照明装置１０における消費電力が増大するという問題や光源１５の消耗が進行するといった問題が発生する。これに対して本形態においては、期間ＦRでは光源１５Rが発光するとともに光源１５Lは消灯し、期間ＦLでは光源１５Lが発光するとともに光源１５Rは消灯する。したがって、光源１５による照射光を対比例よりも高効率に利用できる。
【００３１】
＜Ｂ：第２実施形態＞
次に、本発明の第２実施形態について説明する。なお、以下の各形態において作用や機能が第１実施形態と共通する要素については、以上の同じ符号を付して各々の詳細な説明を適宜に省略する。
【００３２】
図５は、照明装置１０の構成を示す側面図および平面図である。同図に示すように、照明装置１０は、２個の導光体１２（１２R，１２L）と２個の光源１５（１５R，１５L）とを具備する。導光体１２Rは、基部１２１と複数の部分１２５とが一体に成形された光透過性の光学部材である。基部１２１はＸ方向に長尺な部分である。複数の部分１２５は、第１実施形態における導光体１２Rと同様に、Ｙ方向を長手とする姿勢で相互に間隔をあけてＸ方向に並列する。同様に、導光体１２Lは、Ｘ方向に長尺な基部１２２と、基部１２２の側面から相互に間隔をあけてＹ方向に延在する複数の部分１２６とが一体に成形された光透過性の光学部材である。導光体１２Rの各部分１２５と導光体１２Lの各部分１２６とは、基部１２１と基部１２２との間隙にてＸ方向に交互に配列する。Ｘ方向に相隣接する部分１２５と部分１２６とは、発光面に垂直な方向からみてひとつのレンチキュラレンズ３２に重なり合う。
【００３３】
各光源１５（１５R，１５L）は、第１実施形態と同様に３個の発光体１６（１６r，１６g，１６b）で構成される。光源１５Rは、導光体１２Rの基部１２１のうち各部分１２５とは反対側の側面に対向するように配置されて当該側面を照明する。光源１５Lは、導光体１２Lの基部１２２のうち各部分１２６とは反対側の側面に対向するとともに当該側面を照明する。図５に示すように、導光体１２Rの背面側の表面には、第１実施形態と同様に、光源１５Rから離れた位置ほど大径な反射体１９が密に分布する。また、導光体１２Rと導光体１２Lとの間隙には遮光体１７が介在する。部分１２５および部分１２６の背面側には反射板１８１が設置され、前面側には拡散板１８２が設置される。
【００３４】
以上の構成において、光源１５Rによる照射光は、基部１２１から各部分１２５を経由して光学体３０側に出射し、レンチキュラレンズ３２を透過することで方向ＤRに進行して液晶装置２０に入射する。一方、光源１５Lによる照射光は、基部１２２から各部分１２６を経由して光学体３０側に出射し、レンチキュラレンズ３２を透過することで方向ＤLに進行して液晶装置２０に入射する。
【００３５】
駆動装置５０の照明駆動回路５２は、期間ＦRのサブフィールドＳF1〜ＳF3にて光源１５Rの各発光体１６を順次に発光させ、期間ＦLのサブフィールドＳF1〜ＳF3にて光源１５Lの各発光体１６を順次に発光させる。したがって、第１実施形態と同様に、期間ＦRでは右目用画像の各単色画像が方向ＤRに出射して観察者の右目に知覚され、期間ＦLでは左目用画像の各単色画像が方向ＤLに出射して左目に知覚される。
【００３６】
本形態においても第１実施形態と同様の作用および効果が奏される。また、本形態によれば、複数の部分１２５を連結した導光体１２Rを光源１５Rが照明するとともに複数の部分１２６を連結した導光体１２Lを光源１５Lが照明するから、各部分１２５や各部分１２６について個別に光源１５を設置する必要はない。したがって、第１実施形態と比較して照明装置１０の部品数が削減されるという利点がある。
【００３７】
＜Ｃ：第３実施形態＞
次に、本発明の第３実施形態について説明する。第１実施形態および第２実施形態においては、光源１５が側方から照明する構成（サイドライト型）の照明装置１０を例示した。本形態においては、背面側から光源１５が照明する。
【００３８】
図６は、照明装置１０の構成を示す側面図および平面図である。同図に示すように、照明装置１０は、複数の拡散板１３（複数の拡散板１３Rおよび複数の拡散板１３L）と複数の光源１５（１５R，１５L）とを具備する。各拡散板１３は、第１実施形態における導光体１１と同様に、Ｙ方向を長手とする姿勢でＸ方向に並列する。拡散板１３Rと拡散板１３Lとは交互に配列する。Ｘ方向に相隣接する拡散板１３Rと拡散板１３Lとの各組はひとつのレンチキュラレンズ３２と重なり合う。
【００３９】
各光源１５Rは拡散板１３Rの背面側に配置される。同様に、各光源１５Lは拡散板１３Lの背面側に配置される。したがって、光源１５Rと光源１５LとはＸ方向に交互に配列する。各光源１５を挟んで各拡散板１３と対向するように反射板１８１が設置される。反射板１８１は、複数の拡散板１３にわたって連続してもよいし拡散板１３ごとに独立に配置されてもよい。
【００４０】
光源１５Rからの出射光や反射板１８１における反射光は、拡散板１３Rにて適度に散乱したうえで観察側に出射し、レンチキュラレンズ３２を透過することで方向ＤRに出射して液晶装置２０に到達する。一方、光源１５Lからの出射光は、拡散板１３Lにて散乱したうえで観察側に出射し、レンチキュラレンズ３２を透過することで方向ＤLに出射して液晶装置２０に到達する。一方、各光源１５Rの３個の発光体１６（１６r，１６g，１６b）は期間ＦRのサブフィールドＳF1〜ＳF3にて順次に発光し、各光源１５Lの３個の発光体１６は期間ＦLのサブフィールドＳF1〜ＳF3にて順次に発光する。したがって、本形態においても第１実施形態と同様の作用および効果が奏される。
【００４１】
＜Ｄ：第４実施形態＞
図７は、本発明の第４実施形態に係る表示装置１００の構成を示す平面図および側面図である。同図に示すように、照明装置１０は、複数の発光部１４（複数の発光部１４Rおよび複数の発光部１４L）を具備する。各発光部１４においては、複数色（赤色，緑色，青色）の各々の単色光を発光する多数の発光素子が面状に配列する。各発光素子は、相対向する一対の電極の間隙に発光層が介在する自発光素子である。発光層は、例えば有機ＥＬ（Electroluminescence）材料で形成される。各発光部１４Rと各発光部１４Lとは、第１実施形態における導光体１１と同様に、Ｙ方向を長手とする姿勢でＸ方向に沿って交互に配列する。Ｘ方向に相隣接する発光部１４Rと発光部１４Lとの各組はひとつのレンチキュラレンズ３２に重なり合う。また、相隣接する各発光部１４の間隙には遮光体１７が形成される。
【００４２】
照明駆動回路５２は、期間ＦRのサブフィールドＳF1〜ＳF3にて発光部１４Rの各色の発光素子を順次に発光させるとともに発光部１４Lを消灯させ、期間ＦLのサブフィールドＳF1〜ＳF3にて発光部１４Lの各色の発光素子を順次に発光させるとともに発光部１４Rを消灯させる。したがって、第１実施形態と同様に、期間ＦRでは右目用画像の各単色成分が方向ＤRに出射して観察者の右目に知覚され、期間ＦLでは左目用画像の各単色画像が方向ＤLに出射して左目に知覚される。
【００４３】
本形態においても第１実施形態と同様の効果が奏される。また、本形態によれば、光源１５が不要であるから照明装置１０が小型化されるという利点がある。なお、図７においては各発光部１４が独立した構成を例示したが、第２実施形態の導光体１２Rや導光体１２Lのように、複数の発光部１４Rが一体に連結された構成や複数の発光部１４Lが連結された構成も採用される。
【００４４】
＜Ｅ：変形例＞
以上の各形態には様々な変形を加えることができる。具体的な変形の態様を例示すれば以下の通りである。なお、以下の例示から２以上の態様を任意に選択して組合わせてもよい。
【００４５】
（１）変形例１  
以上の各形態においては、３種類の原色成分の各々の単色画像を期間ＦRおよび期間ＦLにて表示する構成を例示したが、単色画像の表示色や色数は任意に変更される。例えば、右目用画像や左目用画像の各画素の表示色から白色成分を抽出し、３種類の原色成分の各々の単色画像と白色成分の単色画像とを期間ＦRおよび期間ＦLの各々で順次に表示する構成も採用される。また、３種類の原色成分のうちの２種類を混合した成分（例えばシアン，マゼンタ，黄色）の単色画像を各原色成分（さらには白色成分）の単色画像ととおもに期間ＦRおよび期間ＦLの各々で順次に表示する構成も好適である。
【００４６】
（２）変形例２  
以上の各形態においては、レンチキュラレンズ３２を配列した構造の光学体３０を例示したが、光学体３０の具体的な形態は適宜に変更される。例えば、Ｘ方向およびＹ方向に沿って配列された多数のマイクロレンズを光学体３０として照明装置１０と液晶装置２０との間隙に介挿する構成も採用される。すなわち、本発明の好適な態様における光学体３０は、照明装置１０のうち第１部分（第１実施形態の導光体１１R，第２実施形態の導光体１２R，第３実施形態の散乱板１３R，第４実施形態の発光部１４R）からの出射光と第２部分（第１実施形態の導光体１１L，第２実施形態の導光体１２L，第３実施形態の散乱板１３L，第４実施形態の発光部１４L）からの出射光とを別方向に出射する光学的特性を持った要素であれば足りる。
【００４７】
（３）変形例３  
以上の各形態においては、期間ＦRにて右目用画像の各単色画像を順次に表示するとともに期間ＦLにて左目用画像の各単色画像を順次に表示する構成を例示したが、各単色画像を表示する順番は任意である。例えば、フレームＦを３個の期間に区分し、第１の期間にて右目用画像および左目用画像の各々の赤色の単色画像を順次に表示し、第２の期間にて緑色の単色画像を順次に表示し、第３の期間にて青色の単色画像を順次に表示する構成も採用される。
【００４８】
（４）変形例４  
以上の各形態においては照明装置１０からの出射光が方向ＤRと方向ＤLの２方向に選択的に出射する構成を例示したが、照明装置１０からの出射光が３方向以上に出射する構成も採用される。すなわち、以上の各形態に係る表示装置１００は、複数種の視差を伴なう立体視用の画像の表示にも利用される。したがって、例えば第１実施形態においてＸ方向に相隣接する３個以上の導光体１１がひとつのレンチキュラレンズ３２に対向する構成も採用される。第２実施形態から第４実施形態についても同様である。
【００４９】
＜Ｆ：応用例＞
次に、本発明に係る表示装置１００を利用した電子機器について説明する。図８ないし図１０には、以上に説明した何れかの形態に係る表示装置１００を採用した電子機器の形態が図示されている。
【００５０】
図８は、表示装置１００を採用したモバイル型のパーソナルコンピュータの構成を示す斜視図である。パーソナルコンピュータ２０００は、各種の画像を表示する表示装置１００と、電源スイッチ２００１やキーボード２００２が設置された本体部２０１０とを具備する。
【００５１】
図９は、表示装置１００を適用した携帯電話機の構成を示す斜視図である。携帯電話機３０００は、複数の操作ボタン３００１およびスクロールボタン３００２と、各種の画像を表示する表示装置１００とを備える。スクロールボタン３００２を操作することによって、表示装置１００に表示される画面がスクロールされる。
【００５２】
図１０は、表示装置１００を適用した携帯情報端末（ＰＤＡ：Personal Digital Assistants）の構成を示す斜視図である。携帯情報端末４０００は、複数の操作ボタン４００１および電源スイッチ４００２と、各種の画像を表示する表示装置１００とを備える。電源スイッチ４００２を操作すると、住所録やスケジュール帳といった様々な情報が表示装置１００に表示される。
【００５３】
なお、本発明に係る表示装置１００が適用される電子機器としては、図８から図１０に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００５４】
【図１】本発明の第１実施形態に係る表示装置の構成を示すブロック図である。
【図２】表示装置の構成を示す平面図および側面図である。
【図３】表示装置の動作を説明するためのタイミングチャートである。
【図４】第１実施形態との対比例の構成を示す平面図および側面図である。
【図５】第２実施形態に係る表示装置の構成を示す平面図および側面図である。
【図６】第３実施形態に係る表示装置の構成を示す平面図および側面図である。
【図７】第４実施形態に係る表示装置の構成を示す平面図および側面図である。
【図８】本発明に係る電子機器の形態（パーソナルコンピュータ）を示す斜視図である。
【図９】本発明に係る電子機器の形態（携帯電話機）を示す斜視図である。
【図１０】本発明に係る電子機器の形態（携帯情報端末）を示す斜視図である。
【符号の説明】
【００５５】
１００……表示装置、１０……照明装置、１１（１１R，１１L），１２（１２R，１２L）……導光体、１３（１３R，１３L），１８２……散乱板、１５（１５R，１５L）……光源、１６（１６r，１６g，１６b）……発光体、１７……遮光体、１８１……反射板、１９……反射体、２０……液晶装置、２４……画素電極２４、３０……光学体、５０……駆動装置、Ｆ……フレーム、ＦR……右目用画像が表示される期間、ＦL……左目用画像が表示される期間、ＳF（ＳF1，ＳF2，……）……サブフィールド。
【図１】
2008268398.tif 000003
【図２】
2008268398.tif 000004
【図３】
2008268398.tif 000005
【図４】
2008268398.tif 000006
【図５】
2008268398.tif 000007
【図６】
2008268398.tif 000008
【図７】
2008268398.tif 000009
【図８】
2008268398.tif 000010
【図９】
2008268398.tif 000011
【図１０】
2008268398.tif 000012